(57)【要約】【課題】扉の額縁を構成する上下枠と左右枠との連結は、Ｌ形の非対称形状のもので、四隅に夫々異なった形状のコーナ金具を用いるので、組付作業が煩わしい。【解決手段】見付け（６）を有する上下横枠（２，３）と見付け（６）を有する左右縦枠（４，５）とをコーナ金具（１２）を介して連結する。コーナ金具（１２）は押出形材からなる断面長方形のブロック状の本体（１３）よりなり、その正面に長手方向へ延在する第１のビス溝（１４，１４）とその側面に長手方向に延在する第２のビス溝（１５）を有す。両ビス溝（１４，１５）には各枠からのビス（２０，２４）がねじ込まれる。本体（１３）に突条（１８，１９）を設ける。【選択図】          図５
2004332439.tif 000002
【特許請求の範囲】
【請求項１】
中空の上下横枠と、中空の左右縦枠と、上下横枠と左右縦枠とを連結するコーナ金具とを備え、コーナ金具が断面長方形のＩ形の形材よりなる本体と、本体の正面と外側面に長手方向に沿うビス溝を有し、上下横枠と左右縦枠との中空部にコーナ金具を挿入し、一方のビス溝に上下横枠よりビスをねじ込みかつ他方のビス溝に左右縦枠よりビスをねじ込み、上下横枠と左右縦枠を連結する家具用扉。
【請求項２】
中空の上下横枠と中空の左右縦枠が見付けを有し、見付けにその縁が挿入される化粧板を備える請求項１記載の家具用扉。
【請求項３】
上下横枠の両端面及び左右縦枠の両端面とを斜面として対接させ、コーナ金具の一部が上下横枠の中空部及びその残部が左右縦枠の中空部に位置する請求項１又は２記載の家具用扉。
【請求項４】
ビス溝が外方に開いた入口部を有する請求項３記載の家具用扉。
【請求項５】
コーナ金具の本体の正面のビス溝が複数個離間して形成され、その背面には長手方向に延在する複数個の突条が形成されかつ他方の側面には長手方向に延在する突条が形成されている請求項４記載の家具用扉。
【請求項６】
コーナ金具の本体が左右縦枠の中空部内に挿入されかつ該本体の上下面が上下横枠の内面に当接する請求項１又は２記載の家具用扉。
【請求項７】
上下横枠が円弧状に形成されている請求項６記載の家具用扉。
【請求項８】
左右縦枠の一方にヒンジを有する請求項６記載の家具用扉。
【発明の詳細な説明】
【０００１】
【発明の属する技術分野】
本発明は、洗面台、トイレや収納具等のための家具用扉に関する。
【０００２】
【従来の技術】
家具用扉の中空の上下枠の端部を中空の左右枠の端部にコーナ金具を用いて連結させ、これら枠に化粧板を組み付けることは知られている。
実開平５−２４８７３号公報や実開平２−１３０９８９号公報は、上下枠と左右枠の両端面を約４５度の角度に切断し、各枠の向かい合う該端面を当接し、Ｌ形のコーナ金具を用いて中空の各枠を結合し、額縁を構成する。使用されるコーナ金具は、上下枠の中空部形状に合致する外形部と左右枠の中空部形状に合致する外形部とを直角に交差させる形状となっている。
【０００３】
コーナ金具を金属板をＬ形に曲げた単純形状としたものが、実開昭６２−４２６８２号公報に開示される。
この公報は、上下左右の各枠に金属板からなるコーナ金具を挿入する特別に設計した係止溝を設けることを教示する。
【０００４】
これとは別に、特開昭５９−２１０１８０号公報は、左右枠の側面にブロック状の長方形スペーサをビス止めし、このスペーサを上下枠の中空部に挿入し、ビスを上下枠よりスペーサにねじ込み、左右枠に上下枠を固定させることを教示する。
【０００５】
【特許文献１】
実開平５−２４８７３号公報
【特許文献２】
実開平２−１３０９８９号公報
【特許文献３】
実開昭６２−４２６８２号公報
【特許文献４】
特開昭５９−２１０１８０号公報
【０００６】
【発明が解決しようとする課題】
上下枠と左右枠との対接面を４５度（角度）の切断面とし、上下枠の中空部形状に相当する部分と左右枠の中空部形状に相当する部分とからなるＬ形のブロック即ちコーナ金具は、合成樹脂材の成形品又は金属材の鋳造品で作るが、コスト高であり、取付時にコーナ金具の上下枠への挿入部と左右枠への挿入部の形状が異なるため上下枠の左右枠への組付作業が煩わしい。
【０００７】
金属板をＬ形としたコーナ金具は、前述した不具合の解消は可能であるが、各枠にコーナ金具を受ける係止溝の設置が必要となり、枠の設計を複雑にする。加えて、コーナ金具へのビスねじ込み量が少なく、結合強度に問題を残す。
【０００８】
これに対し、ブロック状の長方形スペーサをコーナ金具として用いる例は、上下枠の端面を左右枠の側面に当接させる形であり、左右枠の長手方向に加わる荷重を左右枠からスペーサにねじ込んだビスの剪断力で受けることになり、強度上に問題を残す。
【０００９】
それ故に、本発明は前述した従来技術の不具合を解消させることを解決すべき課題とする。
【００１０】
【課題を解決するための手段】
本発明は、前述した課題を解決するために、基本的には、長手方向に延在するビス溝を有するＩ形の形材からなるコーナ金具のビス溝に上下横枠と左右縦枠を介してビスをねじ込み、上下横枠と左右縦枠とを連結させる手段を用いる。
この手段の採用は、コーナ金具をアルミニウム合金材の押出形材により成形できるので製造が容易である。さらに、このコーナ金具は上下横枠と左右縦枠の中空部に挿入され少なくとも３面で中空部内面と接し、各枠に対するガタ付きはない。
【００１１】
本発明によれば、中空の上下横枠と、中空の左右縦枠と、上下横枠と左右縦枠とを連結するコーナ金具とを備え、コーナ金具が断面長方形のＩ形の形材よりなる本体と、本体の正面と外側面に長手方向に沿うビス溝を有し、上下横枠と左右縦枠との中空部にコーナ金具を挿入し、一方のビス溝に上下横枠よりビスをねじ込みかつ他方のビス溝に左右縦枠よりビスをねじ込み、上下横枠と左右縦枠を連結する家具用扉が提供される。
【００１２】
【発明の実施の形態】
図１乃至図３を参照する。家具用扉１は、上下横枠２，３、左右縦枠４，５からなる額縁と、各枠の見付け６にその側縁を収納する好ましくは透明又は乳白色のアクリル板或いはガラス板からなる化粧板７を備える。
上下横枠２，３は同断面形状のものを対称に配し、左右縦枠３，４は同断面形状のものを対称に配する。各枠はアルミニウム合金材の押出形材よりなる。
【００１３】
上下横枠２，３は断面日の字状のもので連結壁８により主中空部９を形成する。左右縦枠４，５は、上下横枠２，３の主中空部９の幅寸法と同じ幅寸法を有する中空部１０を有す。
右縦枠５にはその上下にヒンジ１１を取り付け、洗面台やトイレ用等の収納家具の扉１を開閉自在とさせる。ヒンジ１１は市販のものを用いればよい。ヒンジ１１の一部は中空部１０内に納められ、丸孔を介して残部を外方へ延出させ建屋の木枠（図示なし）に固定させる。
【００１４】
図４に示すように、上下横枠２，３と左右縦枠４，５とはコーナ金具１２を用いて連結される。
上下横枠２，３の両端面は、４５度（角度）に切断され、左右縦枠４，５の両端面も同様に４５度（角度）に切断され、対向する切断面を対接させることで、直角に交差する角部を形成する。
【００１５】
図５乃至図７に示すように、コーナ金具１２は断面長方形の本体１３からなり、本体１３は左右縦枠４，５の中空部１０に挿入されるブロック形状のものである。
本体１３の一方の正面には対の第１のビス溝１４，１４が形成され、その一方の側面に第２のビス溝１５が形成される。
第１のビス溝１４，１４は、本体１３の長手方向に延在する略半円部１６と、該略半円部１６につづく末広がり部１７とからなる。
第２のビス溝１５は、本体１３の長手方向に延在しかつ側外方に開口する断面コの字状の溝となっている。
【００１６】
第１のビス溝１４，１４が形成される正面とは反対側の正面、言い換えれば背面に対の離間した突条１８を、第２の溝１５とは反対側の側面に対の離間した突条１９を形成する。
【００１７】
コーナ金具１２は、アルミニウム合金材の押出形材を適当な長さに切断することで製作される。勿論、コーナ金具１２を合成樹脂材で成形してもよい。
図５に示すように、上下枠２，３の上下面にビス２０を通す作業孔２１を穿設する。
【００１８】
図４乃至図５を参照して、上下横枠２，３への左右縦枠４，５の結合を説明する。
コーナ金具１２の第１のビス溝１４，１４の略半円部１６の中心と上下横枠２，３の連結壁部８のビス孔２２（図２参照）の中心とを一致させるよう、コーナ金具１２を上下横枠２，３にセットし、ビス２０を作業孔２１を介してビス孔２２より第１のビス溝１４，１４にねじ込む。これにより、コーナ金具１２を上下横枠２，３の両端面に固定させる。その後、作業孔２１にはグロメット２３を取り付ける。
ビス２０は、コーナ金具１２のビス溝１４の略半円部１６の長手方向へとねじ込まれるが、この際、末広がり部１７が弾性変形し、ビス２０のねじ込みを容易にしかつねじ込み後はビス２０を略半円部１６に強固に係合させる。
【００１９】
上下横枠２，３の両端に固定されたコーナ金具１２に左右縦枠４，５の両端を挿入する。次いで、左右縦枠４，５の側壁部のビス孔（図示なし）を介して、ビス２４を第２のビス溝１５へねじ込む。この際、第２のビス溝１５のビス２４のねじ込みは、第２のビス溝１５の開口部の面取りによりその中心へとビス２４が案内されるので、ビス２４のねじ込み作業は容易である。
【００２０】
上下横枠２，３は、図８に示すように、円弧状とすることもできる。この場合にも、図示例のコーナ金具１２を用いることができる。
コーナ金具１２の突条１８，１９は、左右縦枠４，５の中空部１０の内面に接し、中空部１０内でのコーナ金具１２のガタ付きを防止する。
コーナ金具１２は額縁の四隅に利用でき、しかも、形材を適当な長さに切断するのみであり、その製造は容易である。同一コーナ金具１２を四隅に利用できるので、部品の補給、管理が簡単となる。
【００２１】
図示例では、上下横枠２，３にコーナ金具１２をビス止めし、左右縦枠４，５の中空部１０にコーナ金具１２を挿入したが、予め、左右縦枠４，５にコーナ金具１２をビス止めし、次いで、上下横枠２，３をコーナ金具１２にビス止めしてもよい。
コーナ金具１２の主要部を左右縦枠４，５に挿入する代わりに、上下横枠２，３の主中空部９にコーナ金具１２の主要部を挿入して、コーナ金具１２を支持し、これに左右縦枠４，５を保持してもよい。
【図面の簡単な説明】
【図１】本発明の一例の扉の正面図である。
【図２】図１の矢視ＩＩ−ＩＩより見た断面図である。
【図３】図１の矢視ＩＩＩ−ＩＩＩより見た断面図である。
【図４】コーナ金具の取付状態を示す部分正面図である。
【図５】図４に示す状態の分解斜視図である。
【図６】コーナ金具の斜視図である。
【図７】図６の矢視ＶＩＩ−ＶＩＩより見た断面図である。
【図８】上下横枠を円弧状とした例の平面図である。
【符号の説明】
１    扉
２，３，４，５    枠
６    見付け
７    化粧板
９，１０    中空部
１１    ヒンジ
１２    コーナ金具
１３    本体
１４，１５    ビス溝
１６    略半円部
１８，１９    突条
【図１】
2004332439.tif 000003
【図２】
2004332439.tif 000004
【図３】
2004332439.tif 000005
【図４】
2004332439.tif 000006
【図５】
2004332439.tif 000007
【図６】
2004332439.tif 000008
【図７】
2004332439.tif 000009
【図８】
2004332439.tif 000010